(57)【要約】【課題】簡易な構成で効果的な刺激を与えることができる健康増進具を提供する。【解決手段】  健康増進具１は、伸縮性を有し、裏面に粘着層が設けられた布製シート１０を備えている。この布製シート１０は、細長い矩形状の開口部１１と、開口部１１を囲み、使用者の皮膚表面に貼着される外周部１２と、外周部１２に接続され、開口部１１の内方に伸長されて開口部１１に露出している前記皮膚表面に貼着される舌片部１３とを具備している。【選択図】図１
2015085102.tif 000002
【特許請求の範囲】
【請求項１】
伸縮性を有し、裏面に粘着層が設けられた布製シートを備える健康増進具であって、
前記布製シートが、所定形状の開口部と、当該開口部を囲み、使用者の皮膚表面に貼着される外周部と、当該外周部に接続され、当該開口部内方に伸長されて当該布製シートの表面及び／又は前記皮膚表面に貼着される舌片部とを具備する、
健康増進具。
【請求項２】
前記外周部には、前記舌片部の先端の貼着位置を示す目印部が形成されている、
請求項１に記載の健康増進具。
【請求項３】
前記布製シートが、互いに異なる方向に伸長されて当該布製シートの表面及び／又は前記皮膚表面に貼着される複数の前記舌片部を具備している、
請求項１又は２に記載の健康増進具。
【請求項４】
一の前記舌片部が伸長されて他の前記舌片部の表面に貼着するように構成されている、
請求項３に記載の健康増進具。
【請求項５】
前記舌片部が、前記開口部内方に向かうにしたがって幅狭となる台形状をなしている、
請求項１乃至３の何れかに記載の健康増進具。
【発明の詳細な説明】
【技術分野】
【０００１】
本発明は、使用者の健康を増進するための健康増進具に関し、特に使用者の腕等の皮膚に対して刺激を与えることにより健康を増進する健康増進具に関する。
【背景技術】
【０００２】
人体の特定の部位に対して刺激を与えることによってマッサージ効果を得るマッサージ機等の各種の健康増進具が従来提案されている。例えば、特許文献１には、基台の上に腕指圧機構、腕マッサージ機構、手のひらマッサージ機構及び指間マッサージ機構を設けると共に、駆動源であるモータ及び駆動力伝達手段を備える腕専用の多機能マッサージ機が開示されている。このマッサージ機の場合、前腕の指圧、並びに、腕、手及び指間のマッサージを一台で行うことができ、しかも一つのモータで複数の機構を動作させることができるため、省スペース化を図ることができる。
【先行技術文献】
【特許文献】
【０００３】
【特許文献１】特開２０１２−１１０５２４号公報
【発明の概要】
【発明が解決しようとする課題】
【０００４】
上述したように、上記の従来のマッサージ機の場合、一台で多くの部位に対して刺激を与えることができるものの、それらの各部位のそれぞれに対してマッサージ機構等を設けているために、高コスト化を招くという問題がある。また、この従来のマッサージ機の場合、駆動源を必要とするため、大幅な省スペース化を実現することが困難であるという問題もある。
【０００５】
本発明は、かかる事情に鑑みてなされたものであり、従来に比して大幅な低コスト化及びコンパクト化を図ることができる健康増進具を提供することを目的とする。
【課題を解決するための手段】
【０００６】
上述した課題を解決するために、本発明の一の態様の健康増進具は、伸縮性を有し、裏面に粘着層が設けられた布製シートを備える健康増進具であって、前記布製シートが、所定形状の開口部と、当該開口部を囲み、使用者の皮膚表面に貼着される外周部と、当該外周部に接続され、当該開口部内方に伸長されて当該布製シートの表面及び／又は前記皮膚表面に貼着される舌片部とを具備する。
【０００７】
上記態様において、前記外周部には、前記舌片部の先端の貼着位置を示す目印部が形成されていてもよい。
【０００８】
また、上記態様において、前記布製シートが、互いに異なる方向に伸長されて当該布製シートの表面及び／又は前記皮膚表面に貼着される複数の前記舌片部を具備していてもよい。
【０００９】
また、上記態様において、一の前記舌片部が伸長されて他の前記舌片部の表面に貼着するように構成されていてもよい。
【００１０】
さらに、上記態様において、前記舌片部が、前記開口部内方に向かうにしたがって幅狭となる台形状をなしていてもよい。
【発明の効果】
【００１１】
本発明によれば、従来に比して簡易な構成で使用者に対して効果的な刺激を与えることができる。
【図面の簡単な説明】
【００１２】
【図１】実施の形態１の健康増進具の構成を示す平面図。
【図２】実施の形態１の健康増進具の構成を示す底面図。
【図３】図１のIII−III線断面図。
【図４】実施の形態１の健康増進具の使用例を示す平面図。
【図５】実施の形態１の健康増進具の他の使用例を示す平面図。
【図６】実施の形態１の健康増進具の変形例の構成を示す平面図。
【図７】実施の形態２の健康増進具の構成を示す平面図。
【図８】実施の形態３の健康増進具の構成を示す平面図。
【図９】実施の形態３の健康増進具の使用例を示す平面図。
【図１０】実施の形態３の健康増進具の他の使用例を示す平面図。
【図１１】実施の形態４の健康増進具の構成を示す平面図。
【図１２】実施の形態５の健康増進具の構成を示す平面図。
【図１３】実施の形態５の健康増進具の第１変形例の構成を示す平面図。
【図１４】実施の形態５の健康増進具の第２変形例の構成を示す平面図。
【図１５】実施の形態５の健康増進具の第３変形例の構成を示す平面図。
【発明を実施するための形態】
【００１３】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１４】
（実施の形態１）
［健康増進具の構成］
図１は、実施の形態１の健康増進具の構成を示す平面図であり、図２は、その構成を示す底面図である。また、図３は、図１のIII−III線断面図である。なお、以下では、説明の便宜上、図１における上側を後側、同じく下側を前側とそれぞれ規定する。すなわち、図１における上下方向を健康増進具１の前後方向と規定する。
【００１５】
図１に示すとおり、健康増進具１は、細長い矩形状の布製シート１０で構成されている。この布製シート１０は、その外周よりも一回り小さい細長い矩形状の開口を形成する開口部１１と、開口部１１を囲む外周部１２と、外周部１２の内周の後側の短辺に接続され、開口部１１内において前側に向かって延びるように形成された舌片部１３とを備えている。舌片部１３は、開口部１１よりも小さい細長い矩形状をなしており、開口部１１の２分の１から３分の２程度の長さを有している。なお、図１において、開口部１１のうち舌片部１３によって隠れた部分は破線で示されている。
【００１６】
布製シート１０は、伸縮性を有する布地で構成されており、使用者に装着された場合に当該使用者の皮膚に密着可能となっている。その布地として、具体的にはキネシオテープ等のテーピング用テープを用いることができるが、伸縮性を有するものであればそれ以外であってもよい。
【００１７】
後述するように、健康増進具１が使用者の腕等の部位に装着される場合、舌片部１３はその長さ方向の前方に向かって伸長されて、使用者の当該部位の皮膚表面に取り付けられる。このとき、舌片部１３の先端の端縁は、外周部１２の内周の前側の短辺１４の端縁に対向して近接する位置に取り付けられる。このように、外周部１２の内周の短辺１４は、舌片部１３が伸長された後にその先端が取り付けられる位置を指示する目印部として機能する。このような目印部を設けることにより、舌片部１３の伸長度合いを実質的に一定にすることができる。
【００１８】
図２及び図３に示すとおり、布製シート１０の裏面の全面には、粘着剤が塗布されることにより粘着層１５が形成されている。この粘着層１５には剥離紙１６が仮着されており、健康増進具１を使用する際にはその剥離紙１６が剥がされ、露出した粘着層１５が使用者の皮膚の表面等に貼着される。
【００１９】
図３に示すように、剥離紙１６における外周部１２と舌片部１３との接続位置に対応する位置には、分離用のミシン目１７が形成されている。このミシン目１７により、剥離紙１６は、外周部１２の裏面側に位置する第１剥離紙１６Ａと、舌片部１３の裏面側に位置する第２剥離紙１６Ｂとに分離可能とされている。
【００２０】
［健康増進具の使用方法］
以下、上述したように構成された本実施の形態の健康増進具１の使用方法について説明する。
使用者はまず、布製シート１０の外周部１２の裏面に仮着されている第１剥離紙１６Ａを剥がして粘着層１５を露出させ、例えば前腕部における任意の位置の皮膚表面に外周部１２を貼り付ける。これにより、外周部１２が使用者の皮膚表面に密着して固定される。なお、この場合、布製シート１０の長さ方向と使用者の前腕部の周方向とを合わせたり、同じく前腕部の長さ方向とを合わせたり等、任意の方向に外周部１２を取り付けることができる。
【００２１】
次に、使用者は、布製シート１０の舌片部１３を把持し、その裏面に仮着されている第２剥離紙１６Ｂを剥がして粘着層１５を露出させる。そして、使用者は、舌片部１３の先端の端縁が外周部１２の内周の短辺１４の端縁に対向して近接する位置に到達するまで舌片部１３を伸長させた後、開口部１１内に露出している使用者の皮膚表面に舌片部１３の裏面を貼り付ける。その結果、図４に示すように、開口部１１の大部分が塞がれた状態で、舌片部１３が使用者の皮膚表面に密着して固定される。
【００２２】
上述したように、健康増進具１は、舌片部１３が伸長した状態で使用者の皮膚表面に取り付けられる。この場合、舌片部１３が収縮しようとする力によって、使用者の皮膚に対し、舌片部１３の先端から基端側に向かう方向の力が加えられる。この力は、健康増進具１が使用者に装着されている間継続して使用者の皮膚に加わることになる。
【００２３】
皮膚には、わずかではあるものの抵抗・緊張が生じている場合がある。これは、そのときの体の状況が反映されているものと考えられる。このような皮膚の抵抗・緊張を適切に捉えて、それに応じた力・時間・方向で刺激を与えることにより、新陳代謝を高めたり、内臓機能に変化をもたらせたりすることができることが知られている。従来、このような皮膚への刺激は手技療法により行われているため、豊富な知識及び経験を有する専門家を要していた。健康増進具１の場合、これを装着するのみでこのような効果を発生させることができ、使用者の健康の増進に寄与することができる。
【００２４】
本実施の形態の場合、上述したように、舌片部１３の先端の端縁が外周部１２の内周の短辺１４の端縁に対向して近接する位置に到達するまで舌片部１３が伸長されている。このように、短辺１４を目印とすることにより舌片部１３の先端の取付位置を一意に決めることができるため、舌片部１３の伸長度合い及び舌片部１３が収縮しようとする力を一定にすることが可能になる。これにより、使用者の知識及び経験等によらず、皮膚に対して適切な刺激を与えることができる。
【００２５】
なお、上記のように健康増進具１が使用者に装着された後、外周部１２のうち後側の短辺部以外の部分、すなわち外周部１２の前側の短辺部及び両長辺部の裏面を使用者の皮膚表面から取り外し、外周部１２の前側の短辺部を把持して前方に伸長させてから、取り外した前側の短辺部及び両長辺部を使用者の皮膚表面に再度貼り付けるようにしてもよい。その結果、図５に示すように、外周部１２の短辺１４と舌片部１３の先端とが離反し、開口部１１が前方向に拡張される。この場合、外周部１２の長辺部が収縮しようとする力によって、使用者の皮膚に対し、外周部１２の前側から後側に向かう方向の力が加えられる。これにより、使用者に皮膚に対して更なる刺激を与えることができ、その刺激による効果を増進させることができる。
【００２６】
［変形例］
図６は、実施の形態１の健康増進具の変形例の構成を示す平面図である。図６に示すように、この変形例では、舌片部１３の先端と、目印として機能する外周部１２の内周の前側の短辺１４とに、所定幅の帯状の着色領域が同色で印刷されている。この変形例の場合、使用者は、それぞれの着色領域が対向して近接するように舌片部１３を伸長させることになる。この場合、舌片部１３の先端の取付位置が視覚的に確認しやすくなるため、舌片部１３の位置合わせを容易に行うことができる。なお、ここでは、外周部１２の内周の短辺１４及び舌片部１３の先端における着色領域が同色で印刷されているが、外周部１２及び舌片部１３の他の領域と異なる色で印刷されていればよく、両着色領域が異なる色であってもよい。また、印刷以外の方法で着諸領域が形成されていてもよい。
【００２７】
（実施の形態２）
［健康増進具の構成］
図７は、実施の形態２の健康増進具の構成を示す平面図である。図７に示すとおり、実施の形態２の健康増進具２は、実施の形態１の場合と同様に、開口部２１、外周部２２、及び舌片部２３を具備する布製シート２０で構成されている。ここで、舌片部２３は、その先端に向かうにしたがって細くなるように長さ方向に対して所定の角度傾斜した傾斜部分を有しており、全体として台形状をなしている。なお、この健康増進具２においても、実施の形態１の場合と同様に粘着層が形成され、その裏面に剥離紙が仮着されている。また、図７においても、開口部２１のうち舌片部２３によって隠れた部分は破線で示されている。
【００２８】
［健康増進具の使用方法］
使用者は、実施の形態１の場合と同様にして本実施の形態の健康増進具２を前腕部等に装着する。すなわち、使用者は、外周部２２の裏面を皮膚表面に貼り付け、その後、舌片部２３を、その先端の端縁が外周部２２の内周の短辺２４の端縁に対向して近接する位置に到達するまで伸長させた後、開口部２１内に露出している使用者の皮膚表面に舌片部２３の裏面を貼り付ける。
【００２９】
上述したようにして健康増進具２が使用者に装着された場合、実施の形態１の場合と同様に、舌片部２３が収縮しようとする力によって、使用者の皮膚に対し、舌片部２３の先端から後端に向かう方向の力が加えられる。このとき、舌片部２３に傾斜部分が設けられているため、舌片部２３の長さ方向のみではなく、その傾斜した方向にも力が加わることになるため、実施の形態１の場合よりも多様な刺激を皮膚に与えることができる。これにより、刺激効果を高めることができる。
【００３０】
（実施の形態３）
［健康増進具の構成］
図８は、実施の形態３の健康増進具の構成を示す平面図である。図８に示すとおり、実施の形態３の健康増進具３は、実施の形態１の場合と同様に、開口部３１、外周部３２、及び舌片部３３を具備する細長い矩形状の布製シート３０で構成されている。ここで、舌片部３３は、外周部３２の内周の後側の短辺に接続され、前方に延びるように設けられている第１舌片部３３Ａと、同じく前側の短辺に接続され、後方に延びるように設けられている第２舌片部３３Ｂとで構成されている。図８に示すように、本実施の形態では、第１舌片部３３Ａの長さが第２舌片部３３Ｂよりも少し大きくなっている。また、これらの第１舌片部３３Ａ及び第２舌片部３３Ｂの長さを足し合わせると外周部３２の内周の長さよりも少し小さくなっている。そのため、第１舌片部３３Ａと第２舌片部３３Ｂとは重ならず、それぞれの先端の端縁が対向するように配されている。なお、図８において、開口部３１のうち第１舌片部３３Ａ及び第２舌片部３３Ｂによって隠れた部分は破線で示されている。
【００３１】
本実施の形態の健康増進具３においても、実施の形態１の場合と同様に粘着層が形成され、その裏面に剥離紙が仮着されている。但し、本実施の形態の場合、第１舌片部３３Ａ及び第２舌片部３３Ｂのそれぞれと外周部３２との接続位置に対応して分離用のミシン目が剥離紙に形成されており、外周部３２、第１舌片部３３Ａ及び第２舌片部３３Ｂのそれぞれの裏面側に位置する剥離紙が分離可能とされている。
【００３２】
外周部３２の２つの長辺部のそれぞれには、その長さ方向において同じ位置に、帯状の第１着色領域３４Ａ及び第２着色領域３４Ｂが形成されている。このうち、第１着色領域３４Ａ，３４Ａは、第１舌片部３３Ａの先端よりも所定の距離前方に形成されており、第１舌片部３３Ａが伸長された後にその先端が取り付けられる位置を示す目印部として機能する。他方、第２着色領域３４Ｂ，３４Ｂは、第２舌片部３３Ｂの先端よりも所定の距離後方に形成されており、第２舌片部３３Ｂが伸長された後にその先端が取り付けられる位置を示す目印部として機能する。なお、これらの第１着色領域３４Ａ及び第２着色領域３４Ｂは、実施の形態１における着色領域の場合と同様に、印刷により形成されていてもよく、その他の方法により形成されていてもよい。
【００３３】
［健康増進具の使用方法］
使用者はまず、実施の形態１の場合と同様にして、外周部３２の裏面を前腕部等の皮膚表面に貼り付ける。次に、使用者は、第２舌片部３３Ｂを把持し、その先端が第２着色領域３４Ｂ，３４Ｂの位置に到達するまで第２舌片部３３Ｂを後方に伸長させた後、開口部３１内に露出している使用者の皮膚表面に第２舌片部３３Ａの裏面を貼り付ける。さらに、使用者は、第１舌片部３３Ａを把持し、その先端が第１着色領域３４Ａ，３４Ａの位置に到達するまで第１舌片部３３Ａを前方に伸長させた後、第２舌片部３３Ｂの表面及び皮膚表面に第１舌片部３３Ａの裏面を貼り付ける。その結果、図９に示すように、開口部３１の大部分が塞がれ、且つ第２舌片部３３Ｂと第１舌片部３３Ａとがこの順に一部重なった状態で、第１舌片部３３Ａ及び第２舌片部３３Ｂが固定される。
【００３４】
上述したようにして健康増進具３が使用者に装着された場合、使用者の皮膚に対し、第１舌片部３３Ａが収縮しようとする力によって第１舌片部３３Ａの先端から基端側に向かう方向の力が加えられるとともに、第２舌片部３３Ｂが収縮しようとする力によって第２舌片部３３Ｂの先端から基端側に向かう方向、すなわち第１舌片部３３Ａの先端から基端側に向かう方向とは反対の方向の力が加えられる。このように、本実施の形態では、前後両方向に力が加えられるため、実施の形態１の場合よりも多様な刺激を皮膚に与えることができる。これにより、刺激効果を高めることができる。
【００３５】
上述したように、本実施の形態では第２舌片部３３Ｂの表面に第１舌片部３３Ａの裏面の一部を貼り付けているが、反対に第１舌片部３３Ａの表面に第２舌片部３３Ｂの裏面の一部を貼り付けるようにしてもよい。この場合でも同様の効果を奏することができる。
【００３６】
なお、本実施の形態では２つの第１着色領域３４Ａ，３４Ａ及び２つの第２着色領域３４Ｂ，３４Ｂが設けられているが、各着色領域が１つずつ設けられていてもよく、第１及び第２着色領域の何れか一方のみが設けられていてもよい。また、着色領域がまったく設けられていない態様であってもよく、その場合は、使用者が第１舌片部３３Ａ及び第２舌片部３３Ｂを適宜の距離伸長させた上で固定することになる。
【００３７】
また、本実施の形態では、後に固定される舌片部の裏面が、先に固定されている舌片部の表面及び使用者の皮膚表面に貼り付けられるが、皮膚表面には貼り付けられず、当該舌片部の表面のみに貼り付けられるようにしてもよい。この場合であっても、各舌片部が収縮しようとする力を皮膚に対して与えることができる。
【００３８】
本実施の形態の健康増進具３の使用方法としては、上記の他にも、次のようなものがある。使用者は、外周部３２の後側の短辺部の裏面を皮膚表面に貼り付けた後、前側の短辺部を前方に伸長させてからその前側の短辺部及び両長辺部の裏面を皮膚表面に貼り付ける。このようにして外周部３２を固定した後、使用者は、第１舌片部３３Ａ及び第２舌片部３３Ｂの何れか一方を伸長させてから皮膚表面に貼り付け、次にその他方を伸長させて同じく貼り付ける。このとき、第１舌片部３３Ａ及び第２舌片部３３Ｂの先端の端縁がそれぞれ対向して近接する位置に配されるようにする。その結果、図１０に示すように、外周部３２の両長辺部、第１舌片部３３Ａ及び第２舌片部３３Ｂが長さ方向に伸長された状態で使用者の皮膚表面に固定される。この場合、外周部３２の両長辺部、第１舌片部３３Ａ及び第２舌片部３３Ｂが収縮しようとする力が使用者の皮膚に与えられることになり、当該皮膚に対して更なる刺激を与えることが可能になる。
【００３９】
（実施の形態４）
［健康増進具の構成］
図１１は、実施の形態４の健康増進具の構成を示す平面図である。図１１に示すとおり、実施の形態４の健康増進具４は、実施の形態２の場合と同様に、開口部４１、外周部４２、第１舌片部４３Ａ、第２舌片部４３Ｂ、第１着色領域４４Ａ及び第２着色領域４４Ｂを具備する布製シート４０で構成されている。ここで、第１舌片部４３Ａ及び第２舌片部３３Ｂは、その先端に向かうにしたがって細くなるように長さ方向に対して所定の角度傾斜した傾斜部分を有しており、全体として台形状をなしている。なお、この健康増進具４においても、実施の形態３の場合と同様に粘着層が形成され、その裏面に剥離紙が仮着されている。また、図１１においても、開口部４１のうち第１舌片部４３Ａ及び第２舌片部４３Ｂによって隠れた部分は破線で示されている。
【００４０】
使用者は、実施の形態３の場合と同様にして本実施の形態の健康増進具４を前腕部等に装着する。すなわち、使用者は、外周部４２の裏面を皮膚表面に貼り付けた後、第１舌片部４３Ａの先端が第１着色領域４４Ａ，４４Ａの位置に到達するまで伸長させてからその裏面を皮膚表面に貼り付け、さらに、第２舌片部４３Ｂの先端が第２着色領域４４Ｂ，４４Ｂの位置に到達するまで伸長させてからその裏面を第１舌片部４３Ａの表面及び皮膚表面に貼り付ける。
【００４１】
上述したようにして健康増進具４が使用者に装着された場合、実施の形態３の場合と同様に、第１舌片部４３Ａ及び第２舌片部４３Ｂのそれぞれが収縮しようとする力によって、使用者の皮膚に対して前後両方向の力が加えられる。このとき、第１舌片部４３Ａ及び第２舌片部４３Ｂの傾斜部分によって、それぞれの長さ方向のみではなく、その傾斜した方向にも力が加わることになるため、実施の形態３の場合よりも多様な刺激を皮膚に与えることができる。これにより、刺激効果を高めることができる。
【００４２】
（実施の形態５）
［健康増進具の構成］
図１２は、実施の形態５の健康増進具の構成を示す平面図である。図１２に示すとおり、実施の形態５の健康増進具５は、伸縮性を有する略正方形状の布製シート５０で構成されている。この布製シート５０は、その外周よりも一回り小さい略正方形状の開口を形成する開口部５１と、開口部５１を囲む外周部５２と、外周部５２の内周の各辺に接続され、開口部５１内方に向かって延びるように形成された４つの舌片部５３，５３，５３，５３とを備えている。各舌片部５３は、台形状をなしており、その下底部分が外周部５２の内周の各辺に接続されている。各舌片部５３の下底から上底までの長さ（台形の高さ）は、開口部５１の長さの４分の１から３分の１程度となっている。なお、図１２において、開口部５１のうち４つの舌片部５３，５３，５３，５３によって隠れた部分は破線で示されている。
【００４３】
実施の形態５の健康増進具５においても、実施の形態３の場合と同様に、粘着層が形成され、その裏面に剥離紙が仮着されている。すなわち、４つの舌片部５３，５３，５３，５３のそれぞれと外周部５２との接続位置に対応して分離用のミシン目が剥離紙に形成されており、外周部５２及び各舌片部５３のそれぞれの裏面側に位置する剥離紙が分離可能とされている。     
【００４４】
［健康増進具の使用方法］
使用者はまず、実施の形態１の場合と同様にして、外周部５２の裏面を前腕部等の皮膚表面に貼り付ける。次に、使用者は、４つの舌片部５３，５３，５３，５３のうちの１つを把持し、その先端が開口部５１の中央付近に到達するまで当該舌片部５３を伸長させた後、開口部５１内に露出している使用者の皮膚表面に当該舌片部５３の裏面を貼り付ける。また、使用者は、上記のようにして貼り付けた舌片部５３と対向する位置にある舌片部５３を把持し、同様にして伸長させてからその裏面を皮膚表面に貼り付ける。次に、使用者は、残りの２つの舌片部５３，５３のうちの１つを把持し、その先端が開口部５１の中央付近に到達するまで当該舌片部５３を伸長させた後、その裏面を、先に固定された２つの舌片部５３，５３の表面及び皮膚表面に貼り付ける。さらに、使用者は、残りの１つの舌片部５３を把持し、同様にして伸長させてからその裏面を先に固定された２つの舌片部５３，５３の表面及び皮膚表面に貼り付ける。
【００４５】
上述したようにして健康増進具５が使用者に装着された場合、使用者の皮膚に対し、各舌片部５３のそれぞれが収縮しようとする力によって、各舌片部５３の上底から下底に向かう方向の力が加えられる。このように、本実施の形態では、４方向に力が加えられることになるため、実施の形態１の場合よりも多様な刺激を皮膚に与えることができる。これにより、刺激効果を高めることができる。
【００４６】
［変形例］
図１３乃至図１５は、実施の形態５の健康増進具の変形例を示す平面図である。なお、これらの図１３乃至図１５においても、各開口部のうち各舌片部によって隠された部分は破線で示されている。
図１３に示すように、第１の変形例である健康増進具６は、伸縮性を有する六角形状の布製シート６０で構成されており、この布製シート６０は、その外周よりも一回り小さい六角形状の開口を形成する開口部６１と、開口部６１を囲む外周部６２と、外周部６２の内周の各辺に接続され、開口部６１内方に向かって延びるように形成された６つの舌片部６３，６３，６３，６３，６３，６３とを備えている。各舌片部６３は、台形状をなしており、その下底部分が外周部６２の内周の各辺に接続されている。各舌片部６３の下底から上底までの長さ（台形の高さ）は、開口部６１の長さの４分の１から３分の１程度となっている。
【００４７】
また、図１４に示すように、第２の変形例である健康増進具７は、伸縮性を有する円形状の布製シート７０で構成されており、この布製シート７０は、その外周よりも一回り小さい円形状の開口を形成する開口部７１と、開口部７１を囲む外周部７２と、外周部７２の内周にそれぞれ接続され、開口部７１内方に向かって延びるように形成された４つの舌片部７３，７３，７３，７３とを備えている。各舌片部７３は、略４分の１円環状をなしており、その外周が外周部６２の内周に接続されている。各舌片部７３の外周から内周までの長さは、開口部７１の直径の４分の１から３分の１程度となっている。
【００４８】
さらに、図１５に示すように、第３の変形例である健康増進具８は、伸縮性を有する略正方形状の布製シート８０で構成されており、この布製シート８０は、その外周よりも一回り小さい正方形状の開口を形成する開口部８１と、開口部８１を囲む外周部８２と、外周部８２の内周の各隅角を構成する二辺に接続され、開口部８１内方の中央部分に向かって延びるように形成された４つの舌片部８３，８３，８３，８３とを備えている。各舌片部８３は、外周部８２の内周の隅角を構成する二辺と、開口部８１に配される二辺とで形成される四辺形で構成されている。ここで、開口部８１の二辺は１２０度程度の角度を形成している。外周部８２の内周の隅角の頂点と開口部８１内に配されている角の頂点との間の距離は、開口部８１の対角線の長さの４分の１から３分の１程度となっている。
【００４９】
上述した各変形例の場合も、実施の形態５の健康増進具５と同様に使用される。すなわち、使用者は、外周部の裏面を前腕部等の皮膚表面に貼り付け、その後、各舌片部を開口部の内方側へ伸長させてから、その裏面を、開口部内に露出している使用者の皮膚表面及び／又は他の舌片部の表面に貼り付ける。このようにして健康増進具６乃至８が使用者に装着された場合、使用者の皮膚に対し、複数の舌片部のそれぞれの収縮しようとする力によって、健康増進具６の場合は６方向に、健康増進具７及び８の場合は４方向に力が加えられることになり、多様な刺激を与えることができる。
【００５０】
（その他の実施の形態）
上述した各実施の形態では、舌片部の長さが開口部のサイズに合わせて一定の範囲に規定されているが、本発明はその範囲に限定されるわけではない。舌片部の長さは、布製シートの伸縮率、及び使用者に与える刺激の強さ等に応じて適宜設定することが可能である。また、舌片部の形状についても、その他の多角形状又は円形状など、様々な変形が可能である。
【００５１】
なお、上述した各実施の形態を組み合わせて他の実施の形態を実現することができる。例えば、目印部として機能する着色領域を適宜の箇所に形成したり、舌片部の形状・伸長方向等を他の実施の形態のものに変更したりする等の様々な形態が実現可能である。
【産業上の利用可能性】
【００５２】
本発明の健康増進具は、装着者の各部位の皮膚に対して刺激を与える健康増進具などとして有用である。
【符号の説明】
【００５３】
１〜８  健康増進具
１０，２０，３０，４０，５０，６０，７０，８０  布製シート
１１，２１，３１，４１，５１，６１，７１，８１  開口部
１２，２２，３２，４２，５２，６２，７２，８２  外周部
１３，２３，３３，４３，５３，６３，７３，８３  舌片部
１５  粘着層
１６  剥離紙
１７  ミシン目
３４Ａ，４４Ａ  第１着色領域
３４Ｂ，４４Ｂ  第２着色領域
【図１】
2015085102.tif 000003
【図２】
2015085102.tif 000004
【図３】
2015085102.tif 000005
【図４】
2015085102.tif 000006
【図５】
2015085102.tif 000007
【図６】
2015085102.tif 000008
【図７】
2015085102.tif 000009
【図８】
2015085102.tif 000010
【図９】
2015085102.tif 000011
【図１０】
2015085102.tif 000012
【図１１】
2015085102.tif 000013
【図１２】
2015085102.tif 000014
【図１３】
2015085102.tif 000015
【図１４】
2015085102.tif 000016
【図１５】
2015085102.tif 000017